(57)【特許請求の範囲】
【請求項１】
車両のテレマティクスシステムに接続するインターネットテレマティクスサービス提供システムであって、
前記テレマティクスシステムからインターネットテレマティクスサービスに対する要請情報を受信する要請情報受信部と、
インターネットコンテンツ提供サーバに接続して前記要請情報に関連するインターネット上のコンテンツを選択するコンテンツ選択部と、
前記コンテンツを前記テレマティクスシステムに提供するコンテンツ提供部と、
広告サーバに接続して前記要請情報に関連する広告情報を生成する広告情報生成部と、
前記広告情報を前記テレマティクスシステムに提供する広告情報提供部と、
を含み、
前記コンテンツは、前記テレマティクスシステムを介してユーザに聴覚的な形態で出力され、
前記広告情報生成部は、前記広告情報として、前記要請情報に含まれる目的地に設定した場所、現在の交通状況、天気、前記ユーザに関連するウェブページなどからキーワードを生成し、前記広告サーバで前記キーワードに対応する広告を抽出し、
前記広告情報は、前記広告情報に設定された広告露出条件によって前記テレマティクスシステムを介して露出され、前記コンテンツに対応する音声出力がない区間に挿入されて露出されることを特徴とするインターネットテレマティクスサービス提供システム。
【請求項２】
前記コンテンツがテキストを含むテキストコンテンツである場合、
前記テキストコンテンツは、前記テレマティクスシステムにおいてＴＴＳ機能によって音声として再生されることを特徴とする請求項１に記載のインターネットテレマティクスサービス提供システム。
【請求項３】
前記コンテンツがオーディオデータを含むメディアコンテンツである場合、
前記メディアコンテンツは、前記テレマティクスシステムにおいてオーディオ再生機能によって再生されることを特徴とする請求項１に記載のインターネットテレマティクスサービス提供システム。
【請求項４】
前記コンテンツ選択部は、
前記コンテンツを分類したカテゴリリストを前記テレマティクスシステムに提供するリスト提供部と、
前記ユーザから前記カテゴリリストから少なくとも１つのカテゴリが選択されるユーザ選択部と、
を含み、
前記カテゴリに対応するコンテンツから前記要請情報に関連するコンテンツを選択することを特徴とする請求項１に記載のインターネットテレマティクスサービス提供システム。
【請求項５】
前記コンテンツ選択部は、
前記要請情報に関連するコンテンツから少なくとも１つのコンテンツを自動的に選択するか、または、前記コンテンツのリストを前記テレマティクスシステムに提供した後に、前記ユーザから少なくとも１つのコンテンツが選択されることを特徴とする請求項１に記載のインターネットテレマティクスサービス提供システム。
【請求項６】
前記要請情報は、前記車両に関連する走行情報、前記インターネット上のコンテンツを区分するカテゴリ情報、前記ユーザに関連するウェブページ情報、前記ユーザに関連する通信端末の識別情報のうち少なくとも１つを含むことを特徴とする請求項１に記載のインターネットテレマティクスサービス提供システム。
【請求項７】
前記要請情報が前記ユーザに関連するウェブページ情報である場合、
前記インターネットテレマティクスサービス提供システムは、
前記ユーザに関連するウェブページを提供するウェブサーバに接続して前記ウェブページ上の情報に対するアップデートをモニタするアップデートモニタ部と、
前記ウェブページ上の情報がアップデートされると、前記アップデート情報を前記テレマティクスシステムに提供するアップデート情報提供部と、
をさらに含み、
前記アップデート情報は、前記テレマティクスシステムを介して聴覚的な形態で出力されることを特徴とする請求項６に記載のインターネットテレマティクスサービス提供システム。
【請求項８】
前記要請情報が前記通信端末の識別情報である場合、
前記インターネットテレマティクスサービス提供システムは、
前記通信端末のメッセージサービスをウェブサービスを介して提供するメッセージ提供サーバに接続して、前記通信端末のメッセージ受信の有無をモニタする受信モニタ部と、
前記通信端末にメッセージが受信されると、前記メッセージを前記テレマティクスシステムに提供するメッセージ提供部と、
をさらに含み、
前記メッセージは、前記テレマティクスシステムを介して聴覚的な形態で出力されることを特徴とする請求項６に記載のインターネットテレマティクスサービス提供システム。
【請求項９】
車両のテレマティクスシステムに接続するインターネットテレマティクスサービス提供システムのインターネットテレマティクスサービス提供方法であって、
前記テレマティクスシステムからインターネットテレマティクスサービスに対する要請情報を受信する要請情報受信し、
インターネットコンテンツ提供サーバに接続して前記要請情報に関連するインターネット上のコンテンツを選択し、
前記コンテンツを前記テレマティクスシステムに提供し、
広告サーバに接続して前記要請情報に関連する広告情報を生成し、
前記広告情報を前記テレマティクスシステムに提供すること、
を含み、
前記コンテンツは、前記テレマティクスシステムを介してユーザに聴覚的な形態で出力され、
前記広告情報は、前記要請情報に含まれる目的地に設定した場所、現在の交通状況、天気、前記ユーザに関連するウェブページなどから生成されるキーワードを用いて、前記広告サーバから前記キーワードに対応する広告が抽出され、
前記広告情報は、前記広告情報に設定された広告露出条件によって前記テレマティクスシステムを介して露出され、前記コンテンツに対応する音声出力がない区間に挿入されて露出されることを特徴とするインターネットテレマティクスサービス提供方法。
【請求項１０】
前記コンテンツがテキストを含むテキストコンテンツである場合、
前記テキストコンテンツは、前記テレマティクスシステムにおいてＴＴＳ機能によって音声として再生されることを特徴とする請求項９に記載のインターネットテレマティクスサービス提供方法。
【請求項１１】
前記コンテンツがオーディオデータを含むメディアコンテンツである場合、
前記メディアコンテンツは、前記テレマティクスシステムにおいてオーディオ再生機能によって再生されることを特徴とする請求項９に記載のインターネットテレマティクスサービス提供方法。
【請求項１２】
前記コンテンツを選択することは、
前記コンテンツを分類したカテゴリリストを前記テレマティクスシステムに提供し、
前記ユーザから前記カテゴリリストから少なくとも１つのカテゴリが選択されること、
を含み、
前記カテゴリに対応するコンテンツから前記要請情報に関連するコンテンツを選択することを特徴とする請求項９に記載のインターネットテレマティクスサービス提供方法。
【請求項１３】
前記コンテンツを選択することは、
前記要請情報に関連するコンテンツから少なくとも１つのコンテンツを自動的に選択すること、または、前記コンテンツのリストを前記テレマティクスシステムに提供した後に、前記ユーザから少なくとも１つのコンテンツが選択されることを特徴とする請求項９に記載のインターネットテレマティクスサービス提供方法。
【請求項１４】
前記要請情報は、前記車両に関連する走行情報、前記インターネット上のコンテンツを区分するカテゴリ情報、前記ユーザに関連するウェブページ情報、前記ユーザに接続する通信端末の識別情報のうち少なくとも１つを含むことを特徴とする請求項９に記載のインターネットテレマティクスサービス提供方法。
【請求項１５】
前記要請情報が前記ユーザに関連するウェブページ情報である場合、
前記ユーザに関連するウェブページを提供するウェブサーバに接続して前記ウェブページ上の情報に対するアップデートをモニタし、
前記ウェブページ上の情報がアップデートされると、前記アップデート情報を前記テレマティクスシステムに提供すること、
をさらに含み、
前記アップデート情報は、前記テレマティクスシステムを介して聴覚的な形態で出力されることを特徴とする請求項１４に記載のインターネットテレマティクスサービス提供方法。
【請求項１６】
前記要請情報が前記通信端末の識別情報である場合、
前記通信端末のメッセージサービスをウェブサービスを介して提供するメッセージ提供サーバに接続して前記通信端末のメッセージ受信の有無をモニタし、
前記通信端末にメッセージが受信されると、前記メッセージを前記テレマティクスシステムに提供すること、
をさらに含み、 
前記メッセージは、前記テレマティクスシステムを介して聴覚的な形態で出力されることを特徴とする請求項１４に記載のインターネットテレマティクスサービス提供方法。
【発明の詳細な説明】
【技術分野】
【０００１】
本発明は、ウェブ上の多様なコンテンツおよび情報を提供するインターネットテレマティクスサービス提供システムおよび提供方法に関する。
【背景技術】
【０００２】
近年、モバイル通信技術、衛星測位技術、地図情報技術および自動車装置制御技術などを融合して事故自動申告、応急サービス呼び出し、ナビげージョンサービスなどのさまざまなサービスを車両内端末を介して運転者に提供するテレマティクス技術開発が活発になされている。今後テレマティクス技術は、より便利で安全な運転環境を提供することはもちろん、すべての情報サービスを車内で間断なく利用できる環境に進化するものと予想されている。
【先行技術文献】
【特許文献】
【０００３】
【特許文献１】韓国公開特許第１０−２００４−００５０５４６号公報
【０００４】
本明細書では、多様なインターネットサービスを活用して、より有用な情報を車両の運転者に提供するシステムおよび提供方法が提案される。
【発明の概要】
【発明が解決しようとする課題】
【０００５】
ウェブ上の多様なコンテンツを車両で聴覚的な形態を中心に提供するインターネットテレマティクスサービス提供システムおよび提供方法を提供する。
【０００６】
最小限の選択によって提供されるコンテンツの個人化が可能なインターネットテレマティクスサービス提供システムおよび提供方法を提供する。
【０００７】
コンテンツの再生の途中で別の基準で設定された広告を自然に提供できるインターネットテレマティクスサービス提供システムおよび提供方法を提供する。
【課題を解決するための手段】
【０００８】
本発明の一実施形態によるインターネットテレマティクスサービス提供システムは、車両のテレマティクスシステムからインターネットテレマティクスサービスに対する要請情報を受信する要請情報受信部と、インターネットコンテンツ提供サーバに接続して要請情報に関連するインターネット上のコンテンツを選択するコンテンツ選択部と、コンテンツをテレマティクスシステムに提供するコンテンツ提供部とを含み、コンテンツは、テレマティクスシステムを介してユーザに聴覚的な形態で出力されてもよい。
【０００９】
コンテンツ選択部は、コンテンツを分類したカテゴリリストをテレマティクスシステムに提供するリスト提供部と、ユーザによってカテゴリリストから少なくとも１つのカテゴリが選択されるユーザ選択部とを含み、カテゴリに対応するコンテンツから要請情報に関連するコンテンツを選択してもよい。
【００１０】
インターネットテレマティクスサービス提供システムは、インターネット情報検索サーバに接続して要請情報に関連するインターネット上の情報が含まれる検索結果を生成する検索結果生成部と、検索結果をテレマティクスシステムに提供する検索結果提供部とをさらに含んでもよく、検索結果はテレマティクスシステムを介してユーザに聴覚的な形態で出力されてもよい。
【００１１】
要請情報がユーザに関連するウェブページ情報である場合、インターネットテレマティクスサービス提供システムは、ユーザに関連するウェブページを提供するウェブサーバに接続してウェブページ上の情報に対するアップデートをモニタするアップデートモニタ部と、ウェブページ上の情報がアップデートされると、アップデート情報をテレマティクスシステムに提供するアップデート情報提供部とをさらに含んでもよく、アップデート情報はテレマティクスシステムを介して聴覚的な形態で出力されてもよい。
【００１２】
要請情報が通信端末の識別情報である場合、インターネットテレマティクスサービス提供システムは、通信端末のメッセージサービスをウェブサービスを介して提供するメッセージ提供サーバに接続して通信端末のメッセージ受信の有無をモニタする受信モニタ部と、通信端末にメッセージが受信されると、メッセージをテレマティクスシステムに提供するメッセージ提供部とをさらに含んでもよく、メッセージはテレマティクスシステムを介して聴覚的な形態で出力されてもよい。
【００１３】
インターネットテレマティクスサービス提供システムは、広告サーバに接続して要請情報に関連する広告情報を生成する広告情報生成部と、広告情報をテレマティクスシステムに提供する広告情報提供部とをさらに含んでもよく、広告情報は、予め設定された広告露出条件によってテレマティクスシステムを介して露出され、コンテンツに対応する音声出力がない区間に挿入されて露出されてもよい。
【発明の効果】
【００１４】
本発明によると、ウェブで提供される多様なコンテンツを車両で聴覚的な形態を中心に提供することができる。
【００１５】
最小限の選択によって提供されるコンテンツの個人化が可能であるため、ユーザの所望するコンテンツを容易に提供することができる。
【００１６】
コンテンツの再生の途中で別の基準で設定された広告を挿入することにより、自然な時点にユーザの状況が反映された広告を提供することができる。
【図面の簡単な説明】
【００１７】
【図１】本発明の一実施形態による、テレマティクスシステムおよび通信端末と、インターネットテレマティクスサービス提供システムとの間の関係を説明するための図である。
【図２】本発明の一実施形態による、インターネット上のコンテンツを提供するインターネットテレマティクスサービス提供システムの内部構成を説明するためのブロック図である。
【図３】本発明の一実施形態による、インターネットテレマティクスサービス提供システムにおける、インターネット上のコンテンツを選択するコンテンツ選択部の内部構成を説明するためのブロック図である。
【図４】本発明の一実施形態による、ユーザに関連するウェブページ上のアップデート情報を提供するインターネットテレマティクスサービス提供システムの追加構成を説明するためのブロック図である。
【図５】本発明の一実施形態による、ユーザに関連する通信端末の受信メッセージを提供するインターネットテレマティクスサービス提供システムの追加構成を説明するためのブロック図である。
【図６】本発明の一実施形態による、要請情報に関連する広告情報を提供するインターネットテレマティクスサービス提供システムの追加構成を説明するためのブロック図である。
【図７】本発明の一実施形態による、インターネット上のコンテンツを提供するインターネットテレマティクスサービス提供方法を示すフローチャートである。
【図８】本発明の一実施形態による、ユーザに関連するウェブページ上のアップデート情報を提供するインターネットテレマティクスサービス提供方法を示すフローチャートである。
【図９】本発明の一実施形態による、ユーザに関連する通信端末の受信メッセージを提供するインターネットテレマティクスサービス提供方法を示すフローチャートである。
【図１０】本発明の一実施形態による、要請情報に関連する広告情報を提供するインターネットテレマティクスサービス提供方法を示すフローチャートである。
【発明を実施するための形態】
【００１８】
以下、本発明の実施形態を添付する図面を参照しながら詳細に説明する。
【００１９】
図１は、本発明の一実施形態において、テレマティクスシステムおよび通信端末と、インターネットテレマティクスサービス提供システムとの間の関係を説明するための図である。図１は、車両のテレマティクスシステム１２０および／またはユーザの通信端末１３０に接続するインターネットテレマティクスサービス提供システム１１０を示している。
【００２０】
インターネットテレマティクスサービス提供システム１１０は、テレマティクスシステム１２０および／または通信端末１３０に接続して、ウェブで提供されるコンテンツをユーザに提供してもよい。本実施形態で、インターネットテレマティクスサービス提供システム１１０は、個人化されたインターネット上のコンテンツをテレマティクスシステム１２０に提供してもよい。また、インターネットテレマティクスサービス提供システム１１０は、コンテンツを提供する途中にユーザの状況が反映された広告をテレマティクスシステム１２０に提供してもよい。
【００２１】
テレマティクスシステム１２０は、車両に搭載されたナビゲーション端末を意味してもよく、無線データ網を介してインターネットテレマティクスサービス提供システム１１０および／または通信端末１３０と通信が可能である。
【００２２】
通信端末１３０は、ユーザが携帯可能なＰＣ、携帯電話、スマートフォンなどモバイル環境の端末を意味してもよく、無線データ網を介してインターネットテレマティクスサービス提供システム１１０および／またはテレマティクスシステム１２０と通信が可能である。
【００２３】
図２は、本発明の一実施形態において、インターネット上のコンテンツを提供するインターネットテレマティクスサービス提供システムの内部構成を説明するためのブロック図である。一実施形態に係るインターネットテレマティクスサービス提供システム２００は、図２に示すように、要請情報受信部２１０、コンテンツ選択部２２０、コンテンツ提供部２３０を含んでもよい。
【００２４】
要請情報受信部２１０は、テレマティクスシステム１２０からインターネットテレマティクスサービスに対する要請情報を受信する。ここで、要請情報は、車両に関連する走行情報、インターネット上のコンテンツを区分するカテゴリー情報、ユーザに関連するウェブページ情報、ユーザに関連する通信端末の識別情報のうち少なくとも１つを含んでもよい。例えば、走行情報は、目的地に設定された場所、走行速度、現在の交通状況、搭乗者情報などを含み、カテゴリー情報は、天気、ニュース、株式市況などを含み、ウェブページ情報は、ユーザが予め設定したＲＳＳフィード、またはウェブページ、Ｅメール、ブログ、カフェ、ミートゥデイなどを含んでもよい。また、要請情報は、テレマティクスシステム１２０の内部データであってもよく、ユーザがテレマティクスシステム１２０および／または通信端末１３０においてウェブサービスを介して直接入力したデータであってもよい。
【００２５】
コンテンツ選択部２２０は、インターネットコンテンツ提供サーバ（図示せず）に接続して要請情報に関連するインターネット上のコンテンツを選択する。ここで、インターネットコンテンツ提供サーバは、コンテンツをカテゴリー別に区分して格納および維持してもよい。インターネットコンテンツ提供サーバは、オーディオ、動画、イメージなどのオーディオデータを含むメディアコンテンツを提供してもよく、ニュース、天気、株式市況などのテキスト、または、ユーザが設定したＲＳＳフィードやウェブページ、Ｅメール、ブログ、カフェ、ミートゥデイなどの新しい文章／コメント、通信端末の受信メッセージなどに該当するテキストを含むテキストコンテンツを提供してもよい。一例として、インターネットコンテンツ提供サーバは、インターネットコンテンツ用プラットフォームを提供してもよく、メディアコンテンツを伝達するメディアストリーミングチャネル、および／またはテキストコンテンツを伝達する情報ストリーミングチャネルを提供してもよい。例えば、メディアストリーミングチャネルでは、ユーザがウェブで設定したプレーリスト、テレマティクスシステム１２０で直接選曲したリスト、メディア放送チャネルなどのコンテンツを提供し、情報ストリーミングチャネルでは、ウェブで提供されるニュース、天気、株式市況などの情報、予め設定したＲＳＳフィードやウェブページ、Ｅメール、ブログ、カフェ、ミートゥデイなどに登録された新しい文章および／またはコメント、通信端末の受信メッセージなどを提供してもよい。
【００２６】
一例として、コンテンツ選択部２２０は、要請情報に関連するコンテンツを抽出した後に、抽出されたコンテンツからユーザに提供する少なくとも１つのコンテンツを自動的に選択してもよい。他の一例として、コンテンツ選択部２２０は、要請情報に関連するコンテンツを抽出した後に、抽出されたコンテンツのリストをテレマティクスシステム１２０に提供し、ユーザから直接コンテンツの選択を受けてもよい。また他の一例として、コンテンツ選択部２２０は、ユーザが直接選択できるようにインターネット上のコンテンツを推薦カテゴリ形態で提示して、ユーザが選択したカテゴリ内で要請情報に関連するコンテンツを選択してもよい。
【００２７】
コンテンツ提供部２３０は、要請情報に関連するインターネット上のコンテンツをテレマティクスシステム１２０に提供する。コンテンツ提供部２３０は、要請情報に関連するコンテンツをダウンロード、ストリーミングなどの方式によってテレマティクスシステム１２０に伝達してもよい。例えば、コンテンツ提供部２３０は、ユーザが目的地に設定した場所、現在の交通状況、天気、自動車走行速度、自動車搭乗者情報などによって選択されたコンテンツをテレマティクスシステム１２０に提供してもよい。また、コンテンツ提供部２３０は、ユーザが設定したＲＳＳフィードやウェブページ、Ｅメール、ブログ、カフェ、ミートゥデイなどに登録された新しい文章／コメント、通信端末の受信メッセージなどをテレマティクスシステム１２０に提供してもよい。
【００２８】
上記の構成のインターネットテレマティクスサービス提供システム２００は、要請情報に関連するインターネット上のコンテンツを選択、提供することによって、ユーザに提供されるコンテンツを要請情報によって個人化することが可能である。
【００２９】
図３は、本発明の一実施形態において、インターネットテレマティクスサービス提供システムにおける、インターネット上のコンテンツを選択するコンテンツ選択部の内部構成を説明するためのブロック図である。一実施形態に係るインターネットテレマティクスサービス提供システムは、図２で説明したインターネットテレマティクスサービス提供システム２００に対応し、コンテンツ選択部３００は、図３に示すようにリスト提供部３１０と、ユーザ選択部３２０とを含んでもよい。
【００３０】
リスト提供部３１０は、インターネット上のコンテンツを分類したカテゴリーリストをテレマティクスシステム１２０に提供する。リスト提供部３１０は、ユーザが直接選択できるようにインターネット上のコンテンツを推薦カテゴリ形態で提示してもよい。
【００３１】
ユーザ選択部３２０では、ユーザによってカテゴリリストから少なくとも１つのカテゴリが選択される。ユーザ選択部３２０には、カテゴリリストを介してユーザが選択したカテゴリが入力されてもよい。
【００３２】
上記の構成のコンテンツ選択部３００は、ユーザが直接選択できるように推薦カテゴリ形態で提示し、ユーザが選択したカテゴリに対応するコンテンツから要請情報に関連するコンテンツを選択してもよい。
【００３３】
本実施形態において、インターネットテレマティクスサービス提供システム２００から提供されたコンテンツは、テレマティクスシステム１２０を介してユーザに聴覚的な形態で出力される。この時、オーディオデータを含むメディアコンテンツの場合、テレマティクスシステム１２０はメディアコンテンツをオーディオ再生機能によって再生してもよい。また、テキストを含むテキストコンテンツの場合、テレマティクスシステム１２０は、テキストコンテンツをＴＴＳ（ｔｅｘｔ  ｔｏ  ｓｐｅｅｃｈ）機能によってオーディオ形態に変換して再生してもよい。
【００３４】
図４は、本発明の一実施形態において、ユーザに関連するウェブページ上のアップデート情報を提供するインターネットテレマティクスサービス提供システムの追加構成を説明するためのブロック図である。本実施形態に係るインターネットテレマティクスサービス提供システム４００は、図２で説明したインターネットテレマティクスサービス提供システム２００に対応しており、テレマティクスシステム１２０から受信した要請情報がユーザに関連するウェブページ情報である場合、インターネットテレマティクスサービス提供システム４００は、図４に示すようにアップデートモニタ部４１０、アップデート情報提供部４２０をさらに含んでもよい。
【００３５】
アップデートモニタ部４１０は、ユーザに関連するウェブページを提供するウェブサーバ（図示せず）に接続してウェブページ上の情報に対するアップデートをモニタする。一例として、アップデートモニタ部４１０は、ユーザが予め設定したＲＳＳフィード、またはウェブページ、Ｅメール、ブログ、カフェ、ミートゥデイなどのウェブページ上に新しい文章ないしコメントなどのアップデートが発生したかをモニタしてもよい。
【００３６】
アップデート情報提供部４２０は、ウェブページ上の情報がアップデートされると、アップデート情報をテレマティクスシステム１２０に提供する。この時、アップデート情報は、テキストコンテンツとしてテレマティクスシステム１２０に提供されて、ＴＴＳ機能によって音声形態で出力されてもよい。
【００３７】
上記の構成によれば、一実施形態に係るインターネットテレマティクスサービス提供システム４００は、ユーザに関連するウェブページのアップデート情報をテレマティクスシステム１２０にリアルタイムで提供してもよく、ユーザはテレマティクスシステム１２０のＴＴＳ機能によってウェブページのアップデート情報を音声形態で聞くことができる。
【００３８】
図５は、本発明の一実施形態において、ユーザに関連する通信端末の受信メッセージを提供するインターネットテレマティクスサービス提供システムの追加構成を説明するためのブロック図である。本実施形態に係るインターネットテレマティクスサービス提供システム５００は、図２で説明したインターネットテレマティクスサービス提供システム２００に対応して、テレマティクスシステム１２０から受信した要請情報がユーザに関連する通信端末の識別情報である場合、インターネットテレマティクスサービス提供システム５００は、図５に示すように受信モニタ部５１０、メッセージ提供部５２０をさらに含んでもよい。
【００３９】
受信モニタ部５１０は、通信端末のメッセージサービスをウェブサービスを介して提供するメッセージ提供サーバ（図示せず）に接続して通信端末のメッセージ受信の有無をモニタする。一例として、受信モニタ部５１０は、ユーザが予め設定した識別情報に対応する通信端末にＳＭＳ、ＭＭＳなどのメッセージが受信されるかをモニタしてもよい。
【００４０】
メッセージ提供部５２０は、通信端末に受信されたメッセージをテレマティクスシステム１２０に提供する。この時、メッセージは、テキストコンテンツとしてテレマティクスシステム１２０に提供されて、ＴＴＳ機能によって音声形態で出力されてもよい。
【００４１】
上記の構成によれば、一実施形態に係るインターネットテレマティクスサービス提供システム５００は、ユーザに関連する通信端末の受信メッセージをテレマティクスシステム１２０にリアルタイムで提供してもよく、ユーザはテレマティクスシステム１２０のＴＴＳ機能によって通信端末の受信メッセージを音声形態で聞くことができる。
【００４２】
図６は、本発明の一実施形態において、要請情報に関連する広告情報を提供するインターネットテレマティクスサービス提供システムの追加構成を説明するためのブロック図である。本実施形態に係るインターネットテレマティクスサービス提供システム６００は、図２で説明したインターネットテレマティクスサービス提供システム２００に対応して、図６に示すように広告情報生成部６１０と、広告情報提供部６２０とをさらに含んでもよい。
【００４３】
広告情報生成部６１０は、広告サーバ（図示せず）に接続してテレマティクスシステム１２０から受信した要請情報に関連する広告情報を生成する。例えば、広告情報生成部６１０は、要請情報に該当する目的地に設定した場所、現在の交通状況、天気、ユーザに関連するウェブページなどからキーワードを生成した後に、広告サーバで該キーワードに対応する広告を抽出してもよい。
【００４４】
広告情報提供部６２０は、要請情報に関連する広告情報をテレマティクスシステム１２０に提供する。ここで、広告情報は、テレマティクスシステム１２０を介して露出されるが、再生中であるコンテンツに対応する音声出力がない区間に挿入されて露出されてもよい。一例として、広告露出条件が設定された広告情報である場合、広告情報提供部６２０は、コンテンツがテレマティクスシステム１２０に提供される途中で広告露出条件が満たされる場合、提供中のコンテンツが途切れないように自然な時点に広告情報を挿入して提供してもよい。ここで、広告露出条件が設定された広告の例としては、特定時間帯に露出するように設定された広告、特定地域にアクセス時に露出されるように設定された広告などがあり得る。
【００４５】
上記の構成によれば、一実施形態に係るインターネットテレマティクスサービス提供システム６００は、コンテンツを提供する途中で要請情報に関連する広告をテレマティクスシステム１２０を介してユーザに露出することによってユーザの状況が反映された広告を提供してもよい。
【００４６】
図７は、本発明の一実施形態において、インターネット上のコンテンツを提供するインターネットテレマティクスサービス提供方法を示すフローチャートである。本実施形態に係るインターネットテレマティクスサービス提供方法は、図２で説明したインターネットテレマティクスサービス提供システム２００によってそれぞれのステップを行うことができる。
【００４７】
ステップＳ７１０において、インターネットテレマティクスサービス提供システム２００は、テレマティクスシステム１２０からインターネットテレマティクスサービスに対する要請情報を受信する。ここで、要請情報は、車両に関連する走行情報、インターネット上のコンテンツを区分するカテゴリ情報、ユーザに関連するウェブページ情報、ユーザに関連する通信端末の識別情報のうち少なくとも１つを含んでもよい。例えば、走行情報は、目的地に設定された場所、走行速度、現在の交通状況、搭乗者情報などを含み、カテゴリ情報は、天気、ニュース、株式市況などを含み、ウェブページ情報は、ユーザが予め設定したＲＳＳフィード、またはウェブページ、Ｅメール、ブログ、カフェ、ミートゥデイなどを含んでもよい。
【００４８】
ステップＳ７２０において、インターネットテレマティクスサービス提供システム２００は、インターネットコンテンツ提供サーバ（図示せず）に接続して、要請情報に関連するインターネット上のコンテンツを選択する。ここで、インターネットコンテンツ提供サーバは、オーディオ、動画、イメージなどのオーディオデータを含むメディアコンテンツを提供してもよく、ニュース、天気、株式市況などのテキスト、または、ユーザが設定したＲＳＳフィードやウェブページ、Ｅメール、ブログ、カフェ、ミートゥデイなどの新しい文章／コメント、通信端末の受信メッセージなどに該当するテキストを含むテキストコンテンツを提供してもよい。一例として、インターネットテレマティクスサービス提供システム２００は、要請情報に関連するコンテンツを抽出した後に、抽出されたコンテンツからユーザに提供する少なくとも１つのコンテンツを自動的に選択してもよく、ユーザが直接選択できるようにインターネット上のコンテンツを推薦カテゴリ形態で提示して、ユーザが選択したカテゴリ内で要請情報に関連するコンテンツを選択してもよい。
【００４９】
ステップＳ７３０において、インターネットテレマティクスサービス提供システム２００は、要請情報に関連するインターネット上のコンテンツをテレマティクスシステム１２０に提供する。例えば、インターネットテレマティクスサービス提供システム２００は、ユーザが目的地に設定した場所、現在の交通状況、天気、自動車走行速度、自動車搭乗者情報などによって選択されたコンテンツをテレマティクスシステム１２０に提供してもよい。また、インターネットテレマティクスサービス提供システム２００は、ユーザが設定したＲＳＳフィードやウェブページ、Ｅメール、ブログ、カフェ、ミートゥデイなどに登録された新しい文章／コメント、通信端末の受信メッセージなどをテレマティクスシステム１２０に提供してもよい。
【００５０】
ステップＳ７４０において、テレマティクスシステム１２０は、インターネットテレマティクスサービス提供システム２００で提供されたコンテンツを聴覚的な形態で出力および再生する。この時、オーディオデータを含むメディアコンテンツの場合、テレマティクスシステム１２０は、メディアコンテンツをオーディオ再生機能によって聴覚的な形態を中心に再生してもよい。また、テキストを含むテキストコンテンツの場合、テレマティクスシステム１２０は、テキストコンテンツをＴＴＳ機能によってオーディオ形態に変換して再生してもよい。
【００５１】
図８は、本発明の一実施形態において、ユーザに関連するウェブページ上のアップデート情報を提供するインターネットテレマティクスサービス提供方法を示すフローチャートである。本実施形態に係るインターネットテレマティクスサービス提供方法は、図４で説明したインターネットテレマティクスサービス提供システム４００によってそれぞれのステップを行うことができる。
【００５２】
ステップＳ８１０において、インターネットテレマティクスサービス提供システム４００は、テレマティクスシステム１２０から受信した要請情報がユーザに関連するウェブページ情報である場合、ユーザに関連するウェブページを提供するウェブサーバ（図示せず）に接続してウェブページ上の情報に対するアップデートをモニタする。例えば、ユーザが予め設定したＲＳＳフィード、またはウェブページ、Ｅメール、ブログ、カフェ、ミートゥデイなどのウェブページ上に新しい文章ないしコメントなどのアップデートが発生したかをモニタしてもよい。
【００５３】
ステップＳ８２０において、インターネットテレマティクスサービス提供システム４００は、ウェブページ上の情報がアップデートされると、アップデート情報をテレマティクスシステム１２０に提供する。この時、アップデート情報は、テキストコンテンツとしてテレマティクスシステム１２０に提供されて、ＴＴＳ機能によって音声形態で出力されてもよい。
【００５４】
図９は、本発明の一実施形態において、ユーザに関連する通信端末の受信メッセージを提供するインターネットテレマティクスサービス提供方法を示すフローチャートである。本実施形態に係るインターネットテレマティクスサービス提供方法は、図５で説明したインターネットテレマティクスサービス提供システム５００によってそれぞれのステップを行うことができる。
【００５５】
ステップＳ９１０において、インターネットテレマティクスサービス提供システム５００は、テレマティクスシステム１２０から受信した要請情報がユーザに関連する通信端末の識別情報である場合、通信端末のメッセージサービスをウェブサービスを介して提供するメッセージ提供サーバ（図示せず）に接続して、通信端末のメッセージ受信の有無をモニタする。例えば、ユーザが設定した識別情報に対応する通信端末にＳＭＳ、ＭＭＳなどのメッセージが受信されるかをモニタしてもよい。
【００５６】
ステップＳ９２０において、インターネットテレマティクスサービス提供システム５００は、通信端末に受信されたメッセージをテレマティクスシステム１２０に提供する。この時、メッセージは、テキストコンテンツとしてテレマティクスシステム１２０に提供されて、ＴＴＳ機能によって音声形態で出力されてもよい。
【００５７】
図１０は、本発明の一実施形態において、要請情報に関連する広告情報を提供するインターネットテレマティクスサービス提供方法を示すフローチャートである。本実施形態に係るインターネットテレマティクスサービス提供方法は、図６で説明したインターネットテレマティクスサービス提供システム６００によってそれぞれのステップを行うことができる。
【００５８】
ステップＳ１０１０において、インターネットテレマティクスサービス提供システム６００は、広告サーバ（図示せず）に接続してテレマティクスシステム１２０から受信した要請情報に関連する広告情報を生成する。例えば、要請情報に該当する目的地に設定した場所、現在の交通状況、天気、ユーザに関連するウェブページなどからキーワードを生成した後に、広告サーバから該キーワードに対応する広告を抽出してもよい。
【００５９】
ステップＳ１０２０において、インターネットテレマティクスサービス提供システム６００は、要請情報に関連する広告情報をテレマティクスシステム１２０に提供する。ここで、広告情報は、テレマティクスシステム１２０を介して露出されるが、提供中のコンテンツが途切れないようにコンテンツの音声出力がない区間に挿入されて露出されてもよい。
【００６０】
このように、本発明の実施形態によれば、インターネットで提供される多様なコンテンツを車両のテレマティクスシステムに伝達して、テレマティクスシステムはコンテンツを聴覚的な形態で再生してユーザに提供してもよい。本実施形態では、最小限の選択によってユーザに提供するコンテンツの個人化が可能であって、ユーザの所望するコンテンツを容易にリアルタイムで提供することができる。また、コンテンツの再生の途中でコンテンツの再生が途切れないように広告を挿入することによって、自然な時点にユーザの状況が反映された広告を提供してもよい。
【００６１】
上述したように本発明を限定された実施形態および図面によって説明したが、本発明は、上記の実施形態に限定されることなく、本発明が属する分野における通常の知識を有する者であれば、このような実施形態から多様な修正及び変形が可能である。
【００６２】
したがって、本発明の範囲は、開示された実施形態に限定されて定められるものではなく、特許請求の範囲及び特許請求の範囲と均等なものなどによって定められるものである。
【符号の説明】
【００６３】
１２０：テレマティクスシステム
２００、４００、５００、６００：インターネットテレマティクスサービス提供システム
２１０：要請情報受信部
２２０：コンテンツ選択部
２３０：コンテンツ提供部
４１０：アップデートモニタ部
４２０：アップデート情報提供部
５１０：受信モニタ部
５２０：メッセージ提供部
６１０：広告情報生成部
６２０：広告情報提供部
【図１】
0005584184.tif 000002
【図２】
0005584184.tif 000003
【図３】
0005584184.tif 000004
【図４】
0005584184.tif 000005
【図５】
0005584184.tif 000006
【図６】
0005584184.tif 000007
【図７】
0005584184.tif 000008
【図８】
0005584184.tif 000009
【図９】
0005584184.tif 000010
【図１０】
0005584184.tif 000011